(57)【特許請求の範囲】
【請求項１】
管渠もしくは人孔の底盤の中央に長さ方向に堰壁板を立設し、堰壁板の上流端に４半円形の閉鎖板を支柱で支承して設置し、端部に細長袋部を形成し、この袋部に可撓性帯板を差し入れたシートを前記堰壁板や閉鎖板に沿わせながら垂れ下げ、かつ、管渠もしくは人孔の底盤の面に沿って湾曲させて敷設して仮設水路を形成することを特徴とする人孔内の仮設水路装置。
【請求項２】
シートは、短手方向端部は、内在する可撓性帯板を半円形に湾曲させて管渠面に沿わせ、口開けの状態とする請求項１記載の人孔内の仮設水路装置。
【請求項３】
シートの長手方向端部は、可撓性帯板内在部分を堰壁板上端にクランプ金具で係止する請求項１または請求項２記載の人孔内の仮設水路装置。
【請求項４】
シートの長手方向端部は、内在する可撓性帯板を突合せ、この突合せ部分で堰壁板と閉鎖板との角度に応じて折れ曲がり可能とした請求項１ないし請求項３のいずれかに記載の人孔内の仮設水路装置。
【請求項５】
シートは、長手方向端部に内在させる可撓性帯板を継ぎ足すことで、複数枚を長手方向に連続させる請求項１ないし請求項４のいずれかに記載の人孔内の仮設水路装置。
【請求項６】
堰壁板は、横長板を折り畳みまたは積み重ね可能として形成する請求項１ないし請求項５のいずれかに記載の人孔内の仮設水路装置。
【請求項７】
管渠もしくは人孔の底盤の中央に長さ方向に堰壁板を立設し、４半円形の閉鎖板を支柱で支承して堰壁板の上流端に設置し、端部に細長袋部を形成し、この袋部に可撓性帯板を差し入れたシートを前記堰壁板や閉鎖板に沿わせながら垂れ下げ、かつ、管渠面に沿って湾曲させて敷設し、シート短手方向端部は、内在する可撓性帯板を半円形に湾曲させて管渠面に沿わせ、口開けの状態として仮設水路を形成し、上流側の下水をシート短手方向端部の口からシート内に取り込み、管渠の下流に流して、シート外側には下水が流れることがなく、乾燥した状態の作業空間を確保することを特徴とする人孔内の仮設水路設置方法。
【請求項８】
シート外側で作業空間となる場所に、下水の下流側に向けて配管を渡し、それまで溜まっていた下水を下流側に排出する請求項７記載の人孔内の仮設水路設置方法。
【発明の詳細な説明】
【技術分野】
【０００１】
本発明は、人孔底盤および人孔に接続される下水道管などの地中に埋設された管渠に対して補修工事などを行う際に、管渠内を流れる水流をバイパスさせるための人孔内の仮設水路設置装置および方法に関するものである。
【背景技術】
【０００２】
下水道人孔底盤部は、硫化水素等により劣化が進行し、そのまま放置すると流水の影響および天災等により生じる空洞、空隙による地山の弛み現象が、路面沈下への影響を及ぼす危険性があるので、早期の補修が求められる。
【０００３】
このような人孔底盤部の補修工事を行う場合においては、対象が人孔に接続する下水道管渠などの管渠底壁部も含むものとなり、底壁部を流れる下水を除去する必要がある。そのために、下水を、下水道管渠の上流側から下流側にかけて、施工対象の管路部分をバイパスさせる、いわゆる、下水切りまわしが必要となる。
【０００４】
かかる下水切りまわしの、一例としては、管路部分の上流側のマンホールからポンプで下水をくみ上げ、地上に敷設されたホースを通じて下流側のマンホールまで送り、これを下流側の管路に放流する方法がある。
【０００５】
下記特許文献はその一環として、下水道管渠としての機能を維持しながら容易に管渠内壁部の補修を行える方法として提案されたものである。
【特許文献１】特公昭５９−６９８３号公報
【０００６】
これは図１０及び図１１に示すように、下水道管渠７４の内壁部７７に沿った湾曲形状に形成されたパッキン７２を有する一対の側板７０と、前記一対の側板７０を平行に一定間隔を保って連結するための連結棒７１とから、枠体７６を構成し、この枠体７６を、円形断面の管渠内壁部７７に仮固定するためのターンバックル式の締め付け機７５により、押しつけて固定するものである。
【０００７】
前記パッキン７２が管渠内壁部７７に圧着することにより、この枠体７６の中には下水は浸入してこず、一対の側板７０に挟まれた空間が作業空間７３となり、この作業空間７３に現れる管渠内壁部７７を検査、補修することができる。
【０００８】
下記特許文献２は図９に示すように、管渠６０の下部を流れる水流を堰き止め可能でかつその水流の導水口を有するゲート部材６１と、前記管渠６０の下部を流れる水流をすべて受け入れられる横断面を有しかつ前記ゲート部材６０の導水口に角度変更自在となるように接続された可動水路とを備えていることを特徴とするものである。
【特許文献２】特開２００３−１８４１６２号公報
【０００９】
この特許文献２は、仮設側溝６４で形成する仮設水路６３を設けることにより、下水道管渠の軸線方向に長スパンの作業空間を確保するもので、仮設側溝６４は、側溝部材を長手方向に複数連結することにより構成されている。
【００１０】
仮設側溝６４は、ステンレス材等で形成される一対のフランジに不透水シートを上に開口部を持つコの字形になるようにして架け渡してなる。この構成により側溝部材は可撓性を有することになる。この際、側溝部材の強度を増すために、不透水シート上に、一定間隔をもって、横断面に沿って補強鋼材を貼り付け蛇腹状にしている。不透水シートは、水圧に耐える強度をもったビニールシートで構成される。
【発明の概要】
【発明が解決しようとする課題】
【００１１】
前記特許文献１の方法では、小枠体および大枠体並びに中枠体に滞留された限られた量の汚水でもポンプアップにより前記の枠体外に排出するする必要があり、また、一対の側板７０を平行にし、連結棒７１を渡して枠体７６を形成しているため、かかる枠体７６を下水道管渠７４の軸方向に長スパンで製作する際は、枠体７６の強度を維持するため、連結棒７１を複数かつ大きくする必要がある。そのため作業空間７３が著しく減るという欠点がある。
【００１２】
前記特許文献２は、円形断面以外の種々の断面形状の管渠にも容易に適用できることを歌い文句に、可動水路に水流を流し、可動水路の外部を作業空間とすることで管渠としての機能を維持しつつ管渠内の補修を行うことができるものであるが、管渠内に可動水路を構築するものとしてコの字形の仮設側溝を配置するので、断面円形の管渠においてコの字形の仮設側溝では無駄な空間を作りだし易い。
【００１３】
また、仮設側溝は、側溝部材を長手方向に複数連結することで形成するものであり、このような連結作業を必要とするということは、狭い管渠内での作業としは面倒なものとなる。
【００１４】
本発明の目的は前記従来例の不都合を解消し、水流切り回しのためにポンプ等の動力を使うことないのでエコロジーであり、シートの敷設により簡単に仮設水路を作成でき、少ない部材で、簡易・迅速に仮設水路の設置が可能な人孔内の仮設水路設置装置および方法を提供することにある。
【課題を解決するための手段】
【００１５】
前記目的を達成するため、請求項１記載の本発明は、管渠もしくは人孔の底盤の中央に長さ方向に堰壁板を立設し、堰壁板の上流端に４半円形の閉鎖板を支柱で支承して設置し、端部に細長袋部を形成し、この袋部に可撓性帯板を差し入れたシートを前記堰壁板や閉鎖板に沿わせながら垂れ下げ、かつ、管渠もしくは人孔の底盤の面に沿って湾曲させて敷設して仮設水路を形成することを要旨とするものである。
【００１６】
請求項１記載の本発明によれば、４半円形の閉鎖板で堰き止められた水流のすべてを仮設水路に受け入れ、かかる仮設水路の形成は主としてシートで行うものであり、連続する仮設水路を簡単に、かつ、迅速に形成できる。また、このシートは管渠の中央に長さ方向に立設する堰壁板で支承されるとともに可撓性帯板で形状が保持されるので、安定した水路形成が可能となる。かかる仮設水路に水流を流し、仮設水路の外部を作業空間とすることで、管渠としての機能を維持しつつ管渠内の補修を行うことができる。
【００１７】
請求項２記載の本発明は、シートは、短手方向端部は、内在する可撓性帯板を半円形に湾曲させて管渠面に沿わせ、口開けの状態とすることを要旨とするものである。
【００１８】
請求項２記載の本発明によれば、シートによる仮設水路は短手方向端部に内在する可撓性帯板を半円形に湾曲させて管渠面に沿わせ、隙間のない口開けの状態とすることで、十分なスペースをもって水流のすべてを取り入れることができる。
【００１９】
請求項３記載の本発明は、シートの長手方向端部は、可撓性帯板内在部分を堰壁板上端にクランプ金具で係止することを要旨とするものである。
【００２０】
請求項３記載の本発明によれば、シートは可撓性帯板内在部分を堰壁板上端にクランプ金具で係止することで、簡単かつ確実にシートと堰壁板上端とを一体的なものにすることができ、また、使用後の分解も簡単である。
【００２１】
請求項４記載の本発明は、シートの長手方向端部は、内在する可撓性帯板を突合せ、この突合せ部分で堰壁板と閉鎖板との角度に応じて折れ曲がり可能としたことを要旨とするものである。
【００２２】
請求項４記載の本発明によれば、シートの長手方向で角度を持たせる場合、例えば、堰壁板と閉鎖板が角度をもって連なる場合に、これらの両方にシートの長手方向を沿わせるのに、折れ曲がり部により対応できる。また、管渠もしくは人孔の底盤が下水道の曲がり部分で曲率を有する場合で可撓性帯板がこの曲率に湾曲で対応できない場合も、シートの長手方向で曲げを行うことができる。
【００２３】
請求項５記載の本発明は、シートは、長手方向端部に内在させる可撓性帯板を継ぎ足すことで、複数枚を長手方向に連続させることを要旨とするものである。
【００２４】
請求項５記載の本発明によれば、シートは、長手方向端部に内在させる可撓性帯板を継ぎ足すことで、複数枚を長手方向に連続させることで長い仮設水路の形成も可能である。
【００２５】
請求項６記載の本発明は、堰壁板は、横長板を折り畳みまたは積み重ね可能として形成することを要旨とするものである。
【００２６】
請求項６記載の本発明によれば、堰壁板は、横長板を折り畳みまたは積み重ね可能として形成したので、折り畳みまたは分解により横長板としてコンパクトにすることができ、人孔の地面に開口している狭い入口より、垂直孔を介して運び入れることができる。
【００２７】
請求項７記載の本発明は、管渠の中央に長さ方向に堰壁板を立設し、４半円形の閉鎖板を支柱で支承して堰壁板の上流端に設置し、端部に細長袋部を形成し、この袋部に可撓性帯板を差し入れたシートを前記堰壁板や閉鎖板に沿わせながら垂れ下げ、かつ、管渠面に沿って湾曲させて敷設し、シート短手方向端部は、内在する可撓性帯板を半円形に湾曲させて管渠面に沿わせ、口開けの状態として仮設水路を形成し、上流側の下水をシート短手方向端部の口からシート内に取り込み、管渠の下流に流して、シート外側には下水が流れることがなく、乾燥した状態の作業空間を確保することを要旨とするものである。
【００２８】
請求項７記載の本発明によれば、前記作用に加えて、仮設水路の外部を作業空間とすることで管渠としての機能を維持しつつ管渠内の補修を行うことができるものである。
【００２９】
請求項８記載の本発明は、シート外側で作業空間となる場所に、下水の下流側に向けて配管を渡し、それまで溜まっていた下水を下流側に排出することを要旨とするものである。
【００３０】
請求項８記載の本発明によれば、シート外側で作業空間となる場所に、下水の下流側に向けて配管を渡し、それまで溜まっていた下水を下流側に排出することで、工事の支障となる水を排出し、早く、乾燥状態を実現できる。また、この配管による水の排出はポンプを使用しないので、簡単で、かつ、経済的である。
【発明の効果】
【００３１】
以上述べたように本発明の人孔内の仮設水路設置装置および方法は、水流切り回しのためにポンプ等の動力を使うことないのでエコロジーであり、シートの敷設により簡単に仮設水路を作成でき、少ない部材で、簡易・迅速に仮設水路の設置が可能なものである。
【発明を実施するための形態】
【００３２】
以下、図面について本発明の実施の形態を詳細に説明する。図１は本発明の人孔内の仮設水路装置の１実施形態を示す横断平面図、図２は図１のＡ―Ａ線矢視図、図３は同上Ｂ―Ｂ線矢視図で、図中１は人孔（マンホール）で、下水道管渠２が接続され、人孔１の底盤を中心に地下に埋設された下水道管渠２も含めて、硫化水素により劣化が進行し、補修を行う場合である。そのまま放置すると流水の影響および天災等により生じる空洞、空隙による地山の弛み現象が、路面沈への影響を及ぼす危険性がある。
【００３３】
補修は、水流のすべてを流す仮設水路３を設けることで、管渠としての機能を維持しつつ、仮設水路３の外部を作業空間とすることで、行うことができる。
【００３４】
仮設水路３は、人孔１の底盤を含めて管渠２の中央に長さ方向に立設する堰壁板４と、この堰壁板４の内側に沿いながら垂れ下げ、かつ、管渠２の面に沿って湾曲させて敷設される不透水性または防水のシート５とで形成した。
【００３５】
シート５は、メタロセン触媒ポリエチレンシート、高密度ポリエチレンシート、軟質塩化ビニル製しゃ水シート、ゴム系シート、ＥＶＡ製の防水シートなど適宜な材質のものを選択でき、水圧に耐える強度をもったビニールシートであれば、特に限定されるものではなく、通常、土木シートと呼ばれるシートや防水加工処理を施された布であってもかまわない。
【００３６】
図４に示すように、シート５は長手方向ａ、短手方向ｂとがある長方形状のもので、長手方向ａ、短手方向ｂのいずれの端部も細長袋部６に形成し、この細長袋部６にアクリル板等の可撓性帯板７を差し入れ自在とした。細長袋部６に対して可撓性帯板７は抜き取ることが可能なものである。
【００３７】
管渠２の径は様々であるが、例えば、既設人孔１用のφ２０００ｍｍであるとすると、シート５は短手方向ｂが３１４０ｍｍ、長手方向ａは７〜８ｍ、細長袋部６の幅は１２０ｍｍ、可撓性帯板７の幅は１００ｍｍとする。
【００３８】
短手方向ｂの細長袋部６に入れる可撓性帯板７は一枚物で３３３０ｍｍの長さであり、長手方向ａの細長袋部６に入れる可撓性帯板７は、複数枚を端部を突合せて内在させてもよい。
【００３９】
特に、シート５の両サイドの長手方向ａの細長袋部６のうち、一方の細長袋部６に差し入れる可撓性帯板７は、特定の長さのものを複数突合せ、この突合せ部分で折れ曲がり可能な屈折部８とした。なお、また、管渠２もしくは人孔１の底盤が下水道の曲がり部分で曲率を有する場合で可撓性帯板７がこの曲率に湾曲で対応できない場合も、このような可撓性帯板７は分割し、端部を突合せ、この突合せ部分で折れ曲がり可能な屈折部８とることでシート５の長手方向で曲げを行うことができる。
【００４０】
また、シート５は、長手方向端部に内在させる可撓性帯板７を継ぎ足すことで、複数枚を長手方向に連続させることもできる。かかる可撓性帯板７の継ぎ足し部分７ａの形成は種々考えられ、例えば、可撓性帯板７の端部の中央に切込みを入れ、これを噛み合わせることや、テープやホルダー等で可撓性帯板７の端部の重ね合わせ部分を押えるなどである。
【００４１】
可撓性帯板７を継ぎ足すことで長ものとしておけば、シート５相互はこの可撓性帯板７で接続が保持される。
【００４２】
堰壁板４は、図６にも示すように、木製の横長板４ａを上下段に複数積み重ねてなるもので、横長板４ａ相互を蝶番９で連結して折り畳み可能とし、各横長板４ａの表面にＵ字形金具によるフック１０を横向きにして上下段に取り付けて、このフック１０にカンヌキ棒１１を差し入れて、平板状にして固定できる。
【００４３】
カンヌキ棒１１は金属製の棒であり、図示の実施形態では上端に手掛輪１１ａを形成しているが、カンヌキ棒１１を長ボルトとし、手掛輪１１ａに相当するものがボルトの頭部であってもよい。
【００４４】
図中１２は細長木製板からなる敷板で、前記堰壁板４はこの敷板１２の上に載置する。敷板１２と最下段の横長板４ａとは結合していないが、これを結合させてＴ字形のものとしてもよい。
【００４５】
図１中１３は、４半円形の閉鎖板で、これは図５に示すような伸縮タイプのサポート支柱１４で支承して堰壁板４の上流α端におよび下流β端に設置する。図示は省略するが該閉鎖板１３はサポート支柱１４にヒンジ（蝶番）をもって角度変更可能に取り付けることもでき、また、４半円形の閉鎖板１３の周囲に、隙間を浸入する下水を堰き止める目的でゴム等で形成されたパッキンを取り付けてもよい。
【００４６】
前記サポート支柱１４は金属製でもよいが、腐食を考慮して木の、角材による柱本体１４ａの端に合成樹脂製のさや管と伸縮棒による２重管構造の伸縮部１４ｂとベース部１４ｃを設けたもので、伸縮部１４ｂは爪によるストッパー１４dを有し、ベース部１４ｃはベース板１４e(木製)をネジ部１４ｆで柱本体１４ａの端に取り付けて、長さおよび角度調整可能とした。
【００４７】
さらに、サポート支柱１４はサポート梁１５で適宜横への支承を確保した。このサポート梁１５はサポート支柱１４と同様の伸縮タイプのサポートで、同じ様な構造のものである。
【００４８】
次に使用法について説明すると、本発明の仮設水路３を設置するには、シート５は巻き回した状態で、堰壁板４は木製の横長板４ａに分解または折り畳んだ状態でコンパクトとし、他の部材である閉鎖板１３やサポート支柱１４、サポート梁１５とともに、人孔１の狭い入口から降ろし入れ、人孔１の内部で組み立てる。
【００４９】
シート５と可撓性帯板７も別々の状態として運び入れ、人孔１の内部でシート５を広げた後で可撓性帯板７を細長袋部６に差し入れて一体にする。
【００５０】
人孔１の左右の管渠２に渡るように人孔１の底盤を横切って中央に敷板１２を配設し、その上に堰壁板４を組立て、また、サポート支柱１４を立て閉鎖板１３を設置する。この場合、図１に示すように閉鎖板１３は多少斜めにして置く。
【００５１】
そして、防水シート５を堰壁板４の内側に沿いながら垂れ下げ、かつ、管渠２の面に沿って湾曲させて敷設する。防水シート５は長手方向ａの端部も細長袋部６の可撓性帯板７部分を堰壁板４の上端合わせ、図８に示すようなクランプ金具１６で止める。
【００５２】
クランプ金具１６はシャコ万力タイプのもので、ガイド棒部１６ｂから屈曲する挟持片部１６ｃと、挟持片部１６ｃの先端に設けられた固定側顎部１６ｄを有する固定側部材１６ａと、可動側部材１６ｅは、ガイド棒部１６ｂに螺合する螺子棒による移動棒１６ｆとその先端の可動側顎部１６ｇとからなる可動側部材１６ｅとで構成する。図１６ｈは移動棒１６ｆの回動用のハンドル部である。
【００５３】
同様に閉鎖板１３の上端ともクランプ金具１６でクランプを行うが、屈折部８で屈折させて防水シート５の上端を閉鎖板１３の上端に沿わせて止める。
【００５４】
また、防水シート５の前後の端、すなわち、短手方向ｂの端は細長袋部６に内在する可撓性帯板７を管渠２の面に沿って湾曲させて上端同士をサポート梁などで固定すれば、防水シート５は前後に上向き開口の半円形に前後に口を開きながら、堰壁板４の内側に沿って４半円形に敷設され、仮設水路３が形成される。
【００５５】
下流側βでも同様に防水シート５の前後の端、すなわち、短手方向ｂの端は細長袋部６に内在する可撓性帯板７を管渠２の面に沿って湾曲させて上端同士をサポート梁などで固定すれば、防水シート５は前後に上向き開口の半円形に前後に口（入口３a、出口３ｂ）を開く。
【００５６】
図７は他の実施形態として、かかる防水シート５の入口３a、出口３ｂをサポート支柱１４、サポート梁１５や筋違１７などの支保工で固定した例である。これらの支保工の組み合わせは特に限定したものはなく、筋違１７も図示のように左右の片側のみでなく、両側にハの字に配置することもできる。
【００５７】
各支保工材、例えば、サポート支柱１４、サポート梁１５などの結合はアングル金物等の結合金物１８で、釘留めやビス止めで後で解体できるように結合する。
【００５８】
この仮設水路装置において、下水道管渠２の上流から流れてきた下水は、上流側入口３aを通り、仮設水路３を通過し、さらに下流側出口３ｂを経て管渠２の径まで広げられて管渠２に放出され、下流へ流れていく。
【００５９】
仮設水路３、堰壁板４の外側の空間は、乾燥した（ドライな）状態の作業空間となる場所であるが、仮設水路３を設置した際に、図１に示すように、下水の下流側に向けて配管として塩ビのパイプ１９を渡し、この塩ビのパイプ１９でそれまで溜まっていた下水を下流側に排出する。
【００６０】
これにより、それまで溜まっていた下水を下流側に排出することで、工事の支障となる水を排出し、早く乾燥状態を実現できる。また、この配管による水の排出はポンプを使用しないので、簡単で、かつ、経済的である。
【００６１】
その後この作業空間を利用して、硫化水素により劣化進行していた破損部を斫り、急硬性無機化合物を基材とした止水・補修剤をヘラ、コテで塗布して、樹脂モルタルで仕上げを行う。
【図面の簡単な説明】
【００６２】
【図１】本発明の人孔内の仮設水路装置の1実施形態を示す横断平面図である。
【図２】図１のＡ―Ａ矢視図である。
【図３】図１のＢ―Ｂ矢視図である。
【図４】シートの説明図である。
【図５】サポート支柱の側面図である。
【図６】堰壁板の斜視図である。
【図７】支保工の説明図である。
【図８】クランプ金具の側面図である。
【図９】従来例を示す平面図である。
【図１０】他の従来例を示す説明図である。
【図１１】他の従来例を示す縦断正面図である。
【符号の説明】
【００６３】
１…人孔（マンホール）          ２…管渠
３…仮設水路                    ３a…入口
３ｂ…出口                      ４…堰壁板
４ａ…横長板                    ５…シート
６…細長袋部                    ７…可撓性帯板
７ａ…継ぎ足し部分              ８…屈折部
９…蝶番                        １０…フック
１１…カンヌキ棒                １１ａ…手掛輪
１２…敷板                      １３…閉鎖板
１４…サポート支柱              １４ａ…柱本体
１４ｂ…伸縮部                  １４ｃ…ベース部
１４ｄ…ストッパー              １４ｅ…ベース板
１４ｆ…ネジ部
１５…サポート梁                １６…クランプ金具
１６ａ…固定側部材              １６ｂ…ガイド棒部
１６ｃ…挟持片部                １６ｄ…固定側顎部
１６ｅ…可動側部材              １６ｆ…移動棒
１６ｇ…可動側顎部              １６ｈ…回動用のハンドル部
１７…筋違                      １８…結合金物
１９…塩ビのパイプ
【要約】
【課題】水流切り回しのためにポンプ等の動力を使うことないのでエコロジーであり、シートの敷設により簡単に仮設水路を作成でき、少ない部材で、簡易・迅速に仮設水路の設置が可能なものである。
【解決手段】管渠２もしくは人孔１の底盤の中央に長さ方向に堰壁板４を立設し、堰壁板４の上流端に４半円形の閉鎖板１３をサポート支柱１４で支承して設置し、端部に細長袋部を形成し、この袋部に可撓性帯板を差し入れたシート５を前記堰壁板４や閉鎖板１３に沿わせながら垂れ下げ、かつ、管渠２もしくは人孔１の底盤の面に沿って湾曲させて敷設して仮設水路３を形成する。
【選択図】  図１【図１】
0005597742.tif 000002
【図２】
0005597742.tif 000003
【図３】
0005597742.tif 000004
【図４】
0005597742.tif 000005
【図５】
0005597742.tif 000006
【図６】
0005597742.tif 000007
【図７】
0005597742.tif 000008
【図８】
0005597742.tif 000009
【図９】
0005597742.tif 000010
【図１０】
0005597742.tif 000011
【図１１】
0005597742.tif 000012